(57)【要約】      （修正有）【課題】トンネルの壁面にインサートアンカーを使用して筐体を設置することができつつも、その設置間隔に所定のものからのズレが生じないようにすることができる、消火栓装置及びその設置方法を提供する。【解決手段】消火用ホース２が収納されるホース収納部３を内蔵する筐体４を有し、インサートアンカーＡＣが壁面Ｗに設けられるトンネルＴに設置される消火栓装置１であって、トンネルＴの長さ方向に延在するようにインサートアンカーＡＣにより壁面Ｗ上に固定されて、筺体４をトンネルＴの長さ方向に移動可能に壁面Ｗ上に支持する第１の支持部材６を備えていることを特徴とする。【選択図】図１
2018166909.tif 000002
【特許請求の範囲】
【請求項１】
消火用ホースが収納されるホース収納部を内蔵する筐体を有し、インサートアンカーが壁面に設けられるトンネルに設置される消火栓装置であって、
前記トンネルの長さ方向に延在するように前記インサートアンカーにより前記壁面上に固定されて、前記筺体を前記トンネルの長さ方向に移動可能に前記壁面上に支持する第１の支持部材を備えていることを特徴とする消火栓装置。
【請求項２】
前記第１の支持部材は、前記筺体が掛け止めされる掛止部を有しており、前記筺体は、前記第１の支持部材の掛止部に掛け止めされて支持されることを特徴とする請求項１に記載の消火栓装置。
【請求項３】
前記筺体に固定されると共に、前記第１の支持部材の掛止部に掛け止めされる掛止部を有する第２の支持部材をさらに備えており、前記筺体は、前記第１の支持部材の掛止部に前記第２の支持部材の掛止部が掛け止めされて支持されることを特徴とする請求項１に記載の消火栓装置。
【請求項４】
前記筐体の下部を支持する第３の支持部材をさらに備えていることを特徴とする請求項１乃至３のいずれか１項に記載の消火栓装置。
【請求項５】
前記第３の支持部材は、前記第１の支持部材の下方に位置しつつ、前記トンネルの長さ方向に延在するように前記インサートアンカーにより前記壁面上に固定されるものであると共に、前記筺体が載置される載置部を有するものであることを特徴とする請求項４に記載の消火栓装置。
【請求項６】
前記第３の支持部材は、前記筺体の底部下方に脚部をなすように設けられものであることを特徴とする請求項４に記載の消火栓装置。
【請求項７】
消火用ホースが収納されるホース収納部を内蔵する筐体を有する消火栓装置をインサートアンカーが壁面に設けられるトンネルに設置する方法であって、
前記トンネルの長さ方向に延在するように第１の支持部材を前記インサートアンカーにより前記壁面上に固定する工程と、その固定した第１の支持部材により前記筺体を前記トンネルの長さ方向に移動可能 に前記壁面上に支持する工程とを含むことを特徴とする消火栓装置の設置方法。
【請求項８】
前記第１の支持部材により前記筺体を前記トンネルの長さ方向に移動させて、その長さ方向における前記筺体の位置を調整する工程をさらに含むことを特徴とする請求項７に記載の消火栓装置の設置方法。
【発明の詳細な説明】
【技術分野】
【０００１】
この発明は、トンネルに設置される消火栓装置及びその設置方法に関する。
【背景技術】
【０００２】
従来、トンネルに設置される消火栓装置は、消火用ホースが収納されるホース収納部を内部に備える筐体が、壁面に形成される箱抜き部分に設置されていた（例えば、特許文献１参照）。
【先行技術文献】
【特許文献】
【０００３】
【特許文献１】特開２０１５−４４０３９号公報
【発明の概要】
【発明が解決しようとする課題】
【０００４】
ところで、最近のトンネルは、シールド工法により施工されることが多い。シールド工法では、掘削と同時に壁面が鋼製のセグメントにより構築されるため、従来のもののように壁面に箱抜き部分を形成することができない。
【０００５】
ここで、シールド工法により施工されるトンネルの壁面には、トンネル内に設置される照明や配管等の各種機器の固定用のものとして、インサートアンカーと呼ばれるボルト穴（以下、単に「インサートアンカー」という。）が多数、トンネルの長さ方向（車両の走行方向）および円周方向に規則的な配置で設けられている。それらインサートアンカーを使用して消火栓装置の筐体を壁面に設置することができれば、施工上、有利である。
【０００６】
しかしながら、消火栓装置の筐体は、トンネルの長さ方向に所定の間隔（例えば、約５０ｍ）で設置されるが、インサートアンカーは、その筐体の設置間隔を考慮して設置されている訳ではない。そのため、インサートアンカーを使用して消火栓装置の筐体を設置する場合、その設置間隔に所定のものからのズレが生じることになる。
【０００７】
この発明は、上記の事情に鑑み、トンネルの壁面にインサートアンカーを使用して筐体を設置することができつつも、その設置間隔に所定のものからのズレが生じないようにすることができる、消火栓装置及びその設置方法を提供することを目的とする。
【課題を解決するための手段】
【０００８】
この発明は、消火用ホースが収納されるホース収納部を内蔵する筐体を有し、インサートアンカーが壁面に設けられるトンネルに設置される消火栓装置であって、前記トンネルの長さ方向に延在するように前記インサートアンカーにより前記壁面上に固定されて、前記筺体を前記トンネルの長さ方向に移動可能に前記壁面上に支持する第１の支持部材を備えていることを特徴とする消火栓装置である。
【０００９】
また、この発明は、前記第１の支持部材は、前記筺体が掛け止めされる掛止部を有しており、前記筺体は、前記第１の支持部材の掛止部に掛け止めされて支持されることを特徴とする消火栓装置である。
【００１０】
また、この発明は、前記筺体に固定されると共に、前記第１の支持部材の掛止部に掛け止めされる掛止部を有する第２の支持部材をさらに備えており、前記筺体は、前記第１の支持部材の掛止部に前記第２の支持部材の掛止部が掛け止めされて支持されることを特徴とする消火栓装置である。
【００１１】
また、この発明は、前記筐体の下部を支持する第３の支持部材をさらに備えていることを特徴とする消火栓装置である。
【００１２】
また、この発明は、前記第３の支持部材は、前記第１の支持部材の下方に位置しつつ、前記トンネルの長さ方向に延在するように前記インサートアンカーにより前記壁面上に固定されるものであると共に、前記筺体が載置される載置部を有するものであことを特徴とする消火栓装置である。
【００１３】
また、この発明は、前記第３の支持部材は、前記筺体の底部下方に脚部をなすように設けられるものであることを特徴とする消火栓装置である。
【００１４】
また、この発明は、消火用ホースが収納されるホース収納部を内蔵する筐体を有する消火栓装置をインサートアンカーが壁面に設けられるトンネルに設置する方法であって、前記トンネルの長さ方向に延在するように第１の支持部材を前記インサートアンカーにより前記壁面上に固定する工程と、その固定した第１の支持部材により前記筺体を前記トンネルの長さ方向に移動可能に前記壁面上に支持する工程とを含むことを特徴とする消火栓装置の設置方法である。
【００１５】
また、この発明は、前記第１の支持部材により前記筺体を前記トンネルの長さ方向に移動させて、その長さ方向における前記筺体の位置を調整する工程をさらに含むことを特徴とする消火栓装置の設置方法である。
【発明の効果】
【００１６】
この発明においては、インサートアンカーに固定される第１の支持部材により、トンネルの長さ方向に移動可能に筐体を壁面上に支持することができ、その長さ方向における筐体の設置位置を調整することができる。
【００１７】
したがって、この発明によれば、トンネルの壁面にインサートアンカーを使用して筐体を設置することができつつも、その設置間隔に所定のものからのズレが生じないようにすることができる、消火栓装置及びその設置方法を提供することができる。
【図面の簡単な説明】
【００１８】
【図１】この発明の一実施形態に係る消火栓装置のトンネル壁面への設置例を示したものであり、（ａ）がその側面図、（ｂ）がその正面図である。
【図２】同上の設置例における壁面側上部支持レール（第１の支持部材の一例）と壁面側下部支持レール（第３の支持部材の一例）がトンネル壁面のインサートアンカーに固定された状態を示したものであり、（ａ）がその側面図、（ｂ）がその正面図である。
【図３】同上の壁面側上部支持レールを単体で示したものであり、（ａ）がその拡大側面図、（ｂ）がその拡大正面図である。
【図４】同上の壁面側下部支持レールを単体で示したものであり、（ａ）がその拡大側面図、（ｂ）がその拡大正面図である。
【図５】同上の設置例における筐体側上部支持レール（第２の支持部材の一例）を単体で示したものであり、（ａ）がその拡大正面図、（ｂ）がその拡大側面図である。
【図６】（ａ）が、同上の筐体側上部支持レールが筐体に固定された状態を示した要部拡大図であり、（ｂ）が、その筐体側上部支持レールを壁面側上部支持レールに掛け止めして、壁面側上部支持レールにより筐体を支持した状態を示した要部（図１（ａ）中に○を付して囲んだ部分）拡大図である。
【図７】同上の消火栓装置の他の設置例（壁面側上部支持レールに筐体を直接掛け止めする例）を示したものであり、（ａ）が図１（ａ）に相当する図、（ｂ）がその要部（○を付して囲んだ部分）拡大図である。
【図８】同上の消火栓装置の他の設置例（下部支持脚（第３の支持部材の別例）により筐体の底部を支持する例）を示した要部拡大図である。
【発明を実施するための形態】
【００１９】
この発明の消火栓装置及びその設置方法の実施形態について、消火栓弁を含むその配管部分を別ユニットとして分離し、筐体を小型かつ薄型の軽量のものとした消火栓装置に適用する場合を例に、図１乃至図８を参照しつつ説明する。なお、この発明の消火栓装置及びその設置方法は、筐体に消火栓弁を含む配管部分が内蔵される消火栓装置にも適用することは可能である。
【００２０】
まず、この発明の一実施形態に係る消火栓装置１全体の基本構成について、簡単に説明する。
【００２１】
消火栓装置１は、図１に示したように、消火用ホース２が収納されるホース収納部３等を内蔵する筐体４を有している。筐体４は、消火用ホース２の引き出し等をするための開口４ａと、その開口４ａを開閉する前扉４ｂとが設けられた前面パネル４ｃを有している。なお、前扉４ｂは、前傾して開くものであるが（図１（ｂ）参照）、その裏面には、消火用ホース２の先端に設けられる消火用ノズル２ａや消火栓弁操作用の操作レバー５等が設けられている（図１（ａ）参照）。
【００２２】
この消火栓装置１は、シールド工法により施工されるトンネルＴに設置することのできるものであり、筐体４を鋼製のセグメントＳＧにより構築される壁面Ｗに壁掛け式に設置することのできるものである。具体的には、その壁面Ｗに縦横に規則的な配置で多数埋設されるインサートアンカー（ボルト穴）ＡＣを使用して、筐体４を壁面Ｗに壁掛け式に設置することのできるものである。
【００２３】
ここで、消火栓装置１は、本実施形態の場合、消火栓弁を含むその配管部分を別ユニットとして筐体４から分離し、筐体４を小型かつ薄型の軽量のものとしており、壁面Ｗへの壁掛けをするための構造部分への負荷を軽減することができるものとしている。なお、分離したユニットは、例えば、トンネルＴにおける壁面Ｗと車道Ｒ１との間の監査路Ｒ２下の床版ＦＳ下の空間に設けられるものとすることができる。
【００２４】
なお、この消火栓装置１において、筐体４は、本実施形態の場合、背面４ｄをその下部部分に前面側に傾斜する傾斜面４ｅを有するものとしており、その傾斜面４ｅの部分において底部４ｆへ至るに従って奥行寸法が徐々に短くなるものとしている。
【００２５】
次に、消火栓装置１の筐体４をインサートアンカーＡＣを使用して壁掛け式に壁面Ｗに設置するための各支持部材について、詳細に説明する。
【００２６】
［壁面側上部支持レール（第１の支持部材の一例）］
消火栓装置１は、筐体４をインサートアンカーＡＣを使用して壁掛け式に壁面Ｗに設置するための支持部材として、まず、壁面側上部支持レール６を備えている。
【００２７】
壁面側上部支持レール６は、インサートアンカーＡＣを使用しつつ、トンネルＴの長さ方向に移動可能に筐体４を壁面Ｗ上に支持するためのものであり、それに相応する長さを有するものとして形成されており、図２（ａ）及び（ｂ）に示したように、トンネルＴの長さ方向（車両の走行方向）に延在するようにインサートアンカーＡＣにより壁面Ｗ上に固定（ボルト止め）される。なお、図１及び図２に示した設置例において、インサートアンカーＡＣは、トンネルＴの長さ方向には水平の配列で埋設されており、壁面側上部支持レール６は、同一の高さの数個のインサートアンカーＡＣにより壁面Ｗ上に固定されて、トンネルＴの長さ方向に水平に延在している。また、壁面側上部支持レール６の長さについては、図１及び図２の設置例において使用しているものの場合、筐体４の幅方向の長さよりも短いものとしているが、筐体４の幅方向の長さ以上のものとすることもできる。
【００２８】
この壁面側上部支持レール６は、例えば、金属製の長板から形成されたものとすることができるが、図１及び図２に示した設置例において使用しているものの場合、具体的には、図３の拡大図に詳細を示した通り、略垂直の状態でインサートアンカーＡＣにより壁面Ｗ上に固定される垂直固定部６ｂから断面Ｌ字状に上方に折曲して形成された折り返し部分を全長に亘って有するものとしており、その折り返し部分に筐体４を掛け止めして支持するための掛止部６ａが形成されるものとしている。なお、掛止部６ａを形成する折り返し部分は、掛け止め可能な形状であればよく、例えば、断面Ｃ字状に湾曲した形状等としてもよい。
【００２９】
消火栓装置１は、基本的には、この壁面側上部支持レール６を備えていることにより、筐体４をトンネルＴの長さ方向に移動可能に壁面Ｗ上に支持することが可能となり、適宜、筐体４をトンネルＴの長さ方向に移動させて、その長さ方向における設置位置を調整することが可能となる。すなわち、トンネルＴの壁面ＷにインサートアンカーＡＣを使用して筐体４を設置することができつつも、その設置間隔に所定のもの（例えば、約５０ｍ）からのズレが生じないようにすることが可能となる。
【００３０】
なお、壁面側上部支持レール６と、それをインサートアンカーＡＣに固定するボルトとの高さ方向の位置関係を変更可能としてもよい。そのようにすることにより、壁面側上部支持レール６の高さ位置を調整することができ、それに支持される筐体４の高さ位置を調整することができる。
【００３１】
［筐体側上部レール（第２の支持部材の一例）］
さらに、消火栓装置１は、図１及び図２に示した設置例におけるものの場合、筐体４を壁面側上部支持レール６に掛け止めして支持するための支持部材として、筐体４に固定（例えば、ボルト止め）される筐体側上部支持レール７を備えている。
【００３２】
筐体側上部支持レール７は、図１及び図２に示した設置例において使用しているものの場合、具体的には、筐体４の背面４ｄ上部に固定されるものであり、壁面側上部支持レール６の掛止部６ａに掛け止めされる掛止部７ａを有するものであるが（図６（ａ）及び（ｂ）参照）、図５の拡大図に詳細を示した通り、長板状のもの（筐体４の背面４ｄに幅方向に沿って平行に固定される）とすると共に、筐体４の背面４ｄに固定される固定部７ｂから断面Ｌ字状に下方に折曲して形成された折り返し部分を全長に亘って有するものとしており、その折り返し部分に前記の掛止部７ａが形成されるものとしている。なお、この筐体側上部支持レール７も、壁面側上部支持レール６と同様、例えば、金属製の長板から形成されたものとすることができる。また、この筐体側上部支持レール７の長さについても、図１及び図２に示した設置例において使用しているものの場合、筐体４の幅方向の長さよりも短いものとしているが、筐体４の幅方向の長さ以上のものとすることもできる。また、筐体側上部支持レール７の長さを筐体４の幅方向の長さの１／２以下の長さとして、２つ以上設けるようにしてもよい。
【００３３】
ここで、図示は省略するが、壁面側上部支持レール６と、筐体側上部支持レール７とは、筐体４をトンネルＴの長さ方向に移動させて適宜、その長さ方向における設置位置を調整した後に、両者を固定する固定手段により固定される。それにより、両者間の位置ずれを防ぐことができ、設置後の筐体４の位置ずれを防ぐことができる。両者の固定手段としては、種々の固定手段を用いることができるが、例えば、壁面側上部支持レール６の掛止部６ａと筐体側上部支持レール７の掛止部７ａとにそれぞれ形成される１個以上の長穴（複数の丸穴でもよい）と、それら長穴に挿通されて両者間を締結するボルト及びナットとすることができる。なお、壁面側上部支持レール６と筐体側上部支持レール７の側面視形状は、上述に限定されず、例えば、筐体側上部支持レール７が壁面側上部支持レール６の水平面に当接する面を有し、壁面側上部支持レール６の水平面に長穴、筐体側上部支持レール７に丸穴が設けられ、設置位置決定後、ボルト・ナットで固定されても良い。
【００３４】
［壁面側下部支持レール（第３の支持部材の一例）］
さらに、消火栓装置１は、図１及び図２に示した設置例におけるものの場合、壁面側上部支持レール６に筐体側上部支持レール７を介して掛け止めされて支持される筐体４の姿勢を保持するために、筐体４の下部を支持する支持部材として、壁面側上部支持レール６の下方に位置しつつ、トンネルＴの長さ方向に延在するようにインサートアンカーＡＣにより壁面Ｗ上に固定されて、壁面側上部支持レール６に筐体側上部支持レール７を介して掛け止めされて支持された状態の筐体４の底部４ｆが載置される載置部８ａを有する壁面側下部支持レール８を備えている。
【００３５】
壁面側下部支持レール８は、図１及び図２に示した設置例において使用しているものの場合、具体的には、図４の拡大図に詳細を示した通り、長板状のものとすると共に、傾斜した状態で傾斜固定部８ｂがインサートアンカーＡＣにより壁面Ｗ上に固定されているときに、前記の載置部８ａが水平面をなすものとしている。また、本実施形態における背面４ｄ下部に傾斜面４ｅを有する筐体４に対応して、その傾斜面４ｅが接する背面支持部８ｃをさらに有するものとしている。
【００３６】
ここで、図示は省略するが、壁面側下部支持レール８と、筐体４の底部４ｆとは、筐体４をトンネルＴの長さ方向に移動させて適宜、その長さ方向における設置位置を調整した後に、両者を固定する固定手段により固定される。それにより、両者間の位置ずれを防ぐことができ、設置後の筐体４の位置ずれを防ぐことができる。両者の固定手段としては、種々の固定手段を用いることができるが、例えば、壁面側下部支持レール８の載置部８ａに形成される１個以上の長穴（複数の丸穴でもよい）と、筐体４の底部４ｆに形成される複数のボルト穴と、前者の長穴に挿入された上で後者のボルト穴に挿入・螺着されて両者間を締結するボルトとすることができる。なお、壁面側下部支持レール８と、筐体４の背面４ｄとの間を固定するようにしてもよく、具体的には、例えば、壁面側下部支持レール８の背面支持部８ｃと、筐体４の背面４ｄ下部の傾斜面４ｅとの間を固定するようにしてもよい。
【００３７】
なお、壁面側下部支持レール８と、それをインサートアンカーＡＣに固定するボルトとの高さ方向の位置関係を変更可能としてもよい。そのようにすることにより、壁面側下部支持レール８の高さ位置を調整することができ、それに支持される筐体４の高さ位置を調整することができる。
【００３８】
消火栓装置１は、図１及び図２に示した設置例におけるものの場合、その筐体４をインサートアンカーＡＣを使用して壁掛け式に壁面Ｗに設置するための支持部材として、前記のようなものを備えている。詳細は次で説明するが、筐体側上部支持レール７については、同様の機能を果たす部分を筐体４の背面４ｄに一体のものとして設けることも可能であり、また、壁面側下部支持レール８については、省略することも可能である。つまり、支持部材としては、壁面側上部支持レール６だけでも、筐体４をトンネルＴの長さ方向に移動可能に壁面Ｗ上に支持することは可能であり、適宜、筐体４をトンネルＴの長さ方向に移動させて、その長さ方向における設置位置を調整することは可能である。すなわち、トンネルＴの壁面ＷにインサートアンカーＡＣを使用して筐体４を設置することができつつも、その設置間隔に所定のもの（例えば、約５０ｍ）からのズレが生じないようにすることは可能である。
【００３９】
次に、前記の筐体側上部支持レール７に代えて、同様の機能を果たす掛止部４ｇを筐体４の背面４ｄに一体のものとして設け、その掛止部４ｇにより筐体４を直接、壁面側上部支持レール６に掛け止めして支持するものとする一方、前記の壁面側下部支持レール８を省略したものとする設置例について、図７を参照しつつ説明する。
【００４０】
すなわち、消火栓装置１は、図７に示した設置例におけるものの場合、前記の通り、筐体側上部支持レール７に代えて、同様の機能を果たす掛止部４ｇを筐体４の背面４ｄの上部に備えており、その掛止部４ｇにより筐体４が直接、壁面側上部支持レール６に掛け止めされて支持されるものとしており、また、筐体４を底部４ｆ側から支持する支持部材である壁面側下部支持レール８のないものとしている。
【００４１】
なお、筐体４に設けられる掛止部４ｇは、具体的には、詳細な構造の図示は省略するが、背面４ｄをなす板の内面に設けられており、その直下に筐体４の幅方向に沿って平行に形成される長穴から挿し込まれる壁面側上部支持レール６の掛止部６ａが筐体４内において掛け止めされる構造のものとしている。 また、掛止部４ｇは、筐体４の背面４ｄに長穴を設けることのみで形成されてもよい。また、図７に示した設置例の場合、壁面側上部支持レール６と筐体４の固定方法は、例えば、筐体４の掛止部４ｇの上側に、筐体４の長手方向に一列に設けた複数の取付穴と壁面側上部支持レール６の長穴にボルトを通して固定するものとすることができる。
【００４２】
最後に、図１及び図２に示した設置例による場合における消火栓装置１の設置工程の一例について、簡単に説明する。
【００４３】
工程１：壁面側上部支持レール６をインサートアンカーＡＣにより壁面Ｗ上に固定する。
工程２：壁面側下部支持レール８をインサートアンカーＡＣにより壁面Ｗ上に固定する。
工程３：筐体側上部支持レール７を筐体４の背面４ｄ上に固定する。
工程４：筐体側上部支持レール７の掛止部７ａを壁面側上部支持レール６の掛止部６ａに掛け止めする。
工程５：筐体４の底部４ｆを壁面側下部支持レール８の載置部８ａに載置する。
工程６：適宜、筐体４をトンネルＴの長さ方向に移動して、その長さ方向における設置位置を調整する。
工程７：壁面側上部支持レール６と筐体側上部支持レール７とを固定する。
工程８：壁面側下部支持レール８と筐体４の底部４ｆとを固定する。 
ただし、以上の工程において、工程１乃至３と、工程４及び５と、工程７及び８は、それぞれ順序を適宜入れ替えてもよい。
【００４４】
以上、この発明の実施形態の一例について説明したが、この発明は上記の実施形態に限定されるものではなく、種々の変更が可能である。
【００４５】
例えば、壁面側下部支持レール８に代えて、筐体４の下部を支持する支持部材（第３の支持部材の別例）として、図８に示したように、筐体４の底部４ｆとトンネルＴの監査路Ｒ２との間に介在して、筐体４の底部４ｆ下方に脚部をなすように設けられる下部支持脚９としてもよい。 この下部支持脚９は、筐体４の底部４ｆに取り付けられているものとすることができ、例えば、雄ネジ部を有するものとして、筐体４の底部４ｆに設けたボルト穴にその雄ネジ部を螺着することにより取り付けられているものとすることができる。また、脚長（高さ）を調節可能として、筐体４の設置高さに対応して調節可能とすることができる。なお、この下部支持脚９は、筐体４とは別体として、筐体４の底部４ｆと監査路Ｒ２との間に挟入されて、筐体４の底部４ｆを支持した状態で保持されるものとしてもよい。さらに、この下部支持脚９に代えて、筐体４を壁面側上部支持レール６に取り付けた後、底部４ｆと監査路Ｒ２の間にジャッキを挿入して、それを支持部材としてもよい。
【符号の説明】
【００４６】
１：消火栓装置  ２：消火用ホース  ２ａ：消火用ノズル
３：ホース収納部  ４：筐体  ４ａ：開口  ４ｂ：前扉  ４ｃ：前面パネル
４ｄ：背面  ４ｅ：傾斜面  ４ｆ：底部  ４ｇ：掛止部
５：操作レバー  ６：壁面側上部支持レール  ６ａ：掛止部
６ｂ：垂直固定部  ７：筐体側上部支持レール  ７ａ：掛止部  ７ｂ：固定部
８：壁面側下部支持レール  ８ａ：載置部  ８ｂ：傾斜固定部
８ｃ：背面支持部  Ｔ：トンネル  Ｗ：壁面  ＳＧ：セグメント
ＡＣ：インサートアンカー  Ｒ１：車道  Ｒ２：監査路  床版：ＦＳ
【図１】
2018166909.tif 000003
【図２】
2018166909.tif 000004
【図３】
2018166909.tif 000005
【図４】
2018166909.tif 000006
【図５】
2018166909.tif 000007
【図６】
2018166909.tif 000008
【図７】
2018166909.tif 000009
【図８】
2018166909.tif 000010